(57)【要約】【課題】プラスチックフィルムハウスの屋根の天窓を覆蓋するシートを開閉して天窓を開閉する天窓開閉装置であって、該シート上に水が溜まりにくいと共に、該シートにたるみが生じにくい天窓開閉装置を提供する。【解決手段】天窓６のシート１２は、下辺が該天窓６の低位側の辺縁に固定されており、上辺が、天窓６に沿って該天窓６の高位側と低位側との間を転動移動可能な巻芯１４に結合されている。巻芯１４には、延出体１６の一端が連結されている。延出体１６の他端側は屋根１ｒの天頂部１ｔを越えて該屋根１ｒの他半側へ延出している。延出体１６はネット１６ａよりなる。延出体１６の最下位部に、引下げ力を与える錘体１８が配置されている。巻芯１４が天窓６に沿って該天窓６の高位側から低位側へ転動しながら移動することによりシート１２が該巻芯１４に巻取られ、天窓６が開放される。巻芯１４には、延出体１６を介して錘体１８から天窓６の高位側への引張り力が加えられている。【選択図】図１
2005318823.tif 000002
【特許請求の範囲】
【請求項１】
プラスチックフィルムハウスの屋根に設けられた天窓を覆蓋するシートを開閉するための天窓開閉装置であって、
該屋根は頂陵状の天頂部を有し、該天頂部から両側に向って下り勾配となっており、該天窓は該天頂部よりも一半側に設けられている天窓開閉装置において、
前記シートは、一側辺が該天窓の低位側に固定され、該天窓の高位側まで拡開する大きさを有しており、
該シートの他側辺が結合されており、該天窓に沿って天窓の高位側と低位側との間を転動しながら移動可能であり、該高位側から低位側へ転動することにより該シートを巻取り、該低位側から高位側へ転動することによりシートを天窓に覆蓋させる巻芯と、
一端が該巻芯に連結され、他端側が屋根の天頂部よりも他半側に延出しており、該巻芯の低位側への転動に伴って該巻芯に巻取られ、該巻芯の高位側への転動に伴って該巻芯から巻出される延出体と、
該延出体に対し引下げ力を与える錘体と
を備えてなるプラスチックフィルムハウスの天窓開閉装置。
【請求項２】
請求項１において、該延出体の少なくとも一部はネットであることを特徴とするプラスチックフィルムハウスの天窓開閉装置。
【請求項３】
請求項１において、該延出体の少なくとも一部は紐状であることを特徴とするプラスチックフィルムハウスの天窓開閉装置。
【請求項４】
請求項１ないし３のいずれか１項において、該延出体は前記巻芯と平行な折り返し部に沿って折り返されており、
該延出体のうち折り返されて上側に配置された部分が前記巻芯に連なり、
延出体のうち折り返されて下側に配置された部分の上端側がプラスチックフィルムハウスに取り付けられており、
該折り返し部の内側に沿って円柱状又は円筒状の前記錘体が保持されていることを特徴とするプラスチックフィルムハウスの天窓開閉装置。
【発明の詳細な説明】
【技術分野】
【０００１】
本発明は、ビニルハウスなどのプラスチックフィルムハウスの天窓を開閉するための天窓開閉装置に係り、特にプラスチックフィルムハウスの屋根の天窓を覆蓋するシートを開閉して天窓を開閉する天窓開閉装置に関する。
【背景技術】
【０００２】
農業用、園芸用等の温室として用いられるビニルハウス等のプラスチックフィルムハウスにあっては、屋根に天窓を設け、この天窓を開閉させることにより該プラスチックフィルムハウス内の温度調節や換気を行うことがある。
【０００３】
特開平８−１７２９３３号公報には、このビニルハウスの天窓の開閉装置の一例が記載されている。同号公報においては、屋根は略切妻屋根状であり、その頂陵状の天頂部から両側に向って下り勾配となっている。この屋根の天頂部よりも一半側に、天頂部付近から屋根の下端付近にまで延在する天窓が設けられている。
【０００４】
この天窓を覆うようにビニル樹脂製のシートが設けられている。このシートは、一端辺（上端辺）が天窓の上縁部に固定され、他端辺（下端辺）側からロッドに巻取り可能とされている。ロッドは、頂陵状の天頂部の棟方向に延在している。
【０００５】
なお、ロッドは手動式のハンドル操作によって屋根上を転動するよう構成されている。
【０００６】
この天窓開閉装置においては、ハンドルを回転操作してロッドを天窓に沿って該天窓の低位側から高位側へ転動させることにより、シートが該ロッドに巻取られて天窓が開放される。また、ロッドを天窓に沿って該高位側から低位側へ転動させることにより、シートがロッドから巻出されて天窓が閉鎖される。
【特許文献１】特開平８−１７２９３３号公報
【発明の開示】
【発明が解決しようとする課題】
【０００７】
上記特開平８−１７２９３３号公報の天窓開閉装置にあっては、天窓を覆うシート上に掛かった雨水等の水滴が該シート上を屋根の低位側へ流れ落ちる場合、該シートの下端辺に連結されたロッド又は該ロッドによるシート下端辺側からのシート巻取り体により、この水滴が堰き止められ、該シート上に水が溜まり易い。
【０００８】
なお、このシートの下端辺を天窓の下縁部に固定し、該シートの上端辺側からロッドで該シートを巻取るよう構成することにより、該シート上を流れ落ちる水が途中で堰き止められることを防止することも考えられる。しかしながら、このように構成した場合、シート及びロッドには各々の自重により屋根の低位側へ向う力が作用するため、シートにたるみが生じ易くなる。
【０００９】
本発明は、プラスチックフィルムハウスの屋根の天窓を覆蓋するシートを開閉して天窓を開閉する天窓開閉装置であって、該シート上に水が溜まりにくいと共に、該シートにたるみが生じにくい天窓開閉装置を提供することを目的とする。
【課題を解決するための手段】
【００１０】
本発明（請求項１）のプラスチックフィルムハウスの天窓開閉装置は、プラスチックフィルムハウスの屋根に設けられた天窓を覆蓋するシートを開閉するための天窓開閉装置であって、該屋根は頂陵状の天頂部を有し、該天頂部から両側に向って下り勾配となっており、該天窓は該天頂部よりも一半側に設けられている天窓開閉装置において、前記シートは、一側辺が該天窓の低位側に固定され、該天窓の高位側まで拡開する大きさを有しており、該シートの他側辺が結合されており、該天窓に沿って天窓の高位側と低位側との間を転動しながら移動可能であり、該高位側から低位側へ転動することにより該シートを巻取り、該低位側から高位側へ転動することによりシートを天窓に覆蓋させる巻芯と、一端が該巻芯に連結され、他端側が屋根の天頂部よりも他半側に延出しており、該巻芯の低位側への転動に伴って該巻芯に巻取られ、該巻芯の高位側への転動に伴って該巻芯から巻出される延出体と、該延出体に対し引下げ力を与える錘体とを備えてなるものである。
【００１１】
請求項２のプラスチックフィルムハウスの天窓開閉装置は、請求項１において、該延出体の少なくとも一部はネットであることを特徴とするものである。
【００１２】
請求項３のプラスチックフィルムハウスの天窓開閉装置は、請求項１において、該延出体の少なくとも一部は紐状であることを特徴とするものである。
【００１３】
請求項４のプラスチックフィルムハウスの天窓開閉装置は、請求項１ないし３のいずれか１項において、該延出体は前記巻芯と平行な折り返し部に沿って折り返されており、該延出体のうち折り返されて上側に配置された部分が前記巻芯に連なり、延出体のうち折り返されて下側に配置された部分の上端側がプラスチックフィルムハウスに取り付けられており、該折り返し部の内側に沿って円柱状又は円筒状の前記錘体が保持されていることを特徴とするものである。
【発明の効果】
【００１４】
本発明のプラスチックフィルムハウスの天窓開閉装置においては、シートは、下端辺が天窓の低位側に固定されると共に、上端辺が巻芯に結合されている。このシートが天窓を覆った状態から巻芯を天窓の高位側から低位側へ転動させると、シートが巻芯に巻取られ、天窓が開放される。なお、この際、延出体も巻芯に巻取られる。
【００１５】
シートを巻取った巻芯を、該低位側から高位側へ転がし上げると、巻芯からシートが巻出され、このシートが天窓を覆うので、天窓が閉鎖される。なお、この巻芯が転がり上がるときには、延出体が巻芯から巻出される。
【００１６】
本発明では、延出体に対し、錘体の自重により屋根の反対側（天窓が設けられた側と反対側）への引き下げ力が加えられている。従って、巻芯には、この延出体を介し、該錘体の自重により天窓の高位側（屋根の天頂部側）への引き上げ力が作用している。
【００１７】
このように、本発明のプラスチックフィルムハウスの天窓開閉装置にあっては、シートの下端辺を天窓の低位側に固定し、該シートの上端辺側から巻芯により該シートを巻取るよう構成しているので、シート上を水滴等が流れ落ちる場合に、巻芯又は該巻芯によるシート巻取り体によってこの水滴が堰き止められることがなく、該シート上に水が溜まりにくい。
【００１８】
また、巻芯には、錘体の自重により天窓の高位側への引き上げ力が作用しているため、この巻芯を介してシートの上端辺側が天窓の高位側へ引張られ、シートがピンと張るようになる。これにより、シートにたるみが生じにくい。
【００１９】
なお、本発明のプラスチックフィルムハウスの天窓開閉装置においては、巻芯には、その自重（及び巻取ったシートの重量）により天窓の低位側へ転がり落ちようとする力と、錘体に引張られて天窓の高位側へ転がり上がろうとする力との双方の力が加わるので、両者の力の差よりも若干大きい程度の力を加えるだけで巻芯を転動させることができる。
【００２０】
本発明のプラスチックフィルムハウスの天窓開閉装置においては、シートが巻芯に巻取られると、延出体も巻芯に巻取られ、天窓側へ引き出される。そのため、延出体は、ネットや紐状のものなど、天窓の通気を許容するものであることが望ましい（請求項２，３）。
【００２１】
延出体をネットとした場合には、天窓開放時に天窓がネットで覆われるため、該天窓からプラスチックフィルムハウス内に害虫やゴミ等が侵入することが防止される。
【００２２】
なお、延出体を紐状とした場合には、延出体の構成をきわめて簡易なものとすることができる。
【００２３】
請求項４の態様にあっては、延出体が巻芯からの延出方向の途中部分において折り返され、この折り返し部の内側に円柱状又は円筒状の錘体が自転可能に保持されているため、この錘体の自重により、延出体に対し引き下げ力が加えられる。
【発明を実施するための最良の形態】
【００２４】
以下に、図面を参照して本発明の実施の形態について説明する。
【００２５】
第１図は実施の形態に係るプラスチックフィルムハウスの天窓開閉装置１０を備えたプラスチックフィルムハウスの断面図であり、（ａ）図は天窓閉状態時を示し、（ｂ）図は天窓開状態時を示している。第２図はこの天窓開閉装置の斜視図である。第３図はこの天窓開閉装置の作動態様の説明図である。第４図及び第５図は巻芯とシートとの結合部の断面斜視図である。第６図は巻芯転動装置の斜視図である。第７図は他の実施の形態に係る天窓開閉装置１０Ａを備えたプラスチックフィルムハウスの断面図である。なお、これらの図においては、この天窓開閉装置の構成を明瞭にするために、各シートの厚みを誇張して示している。
【００２６】
第１図に示すように、この実施の形態では、プラスチックフィルムハウス１は、アーチ形のフレーム（パイプ）２を複数本所定の間隔にて立設し、これらのフレーム２を取り囲むように合成樹脂シート（プラスチックフィルム）４を張設してなるものである。なお、該合成樹脂シート４は、この実施の形態では、一般的なビニルハウスに用いられる塩化ビニル系樹脂シート又はポリオレフィン系樹脂シートであるが、これに限定されるものではない。該合成樹脂シート４は、要所が複数箇所において各フレーム２に対し固定具やバンド（いずれも図示略）により固定されている。
【００２７】
このプラスチックフィルムハウス１の頂陵状の屋根１ｒの天頂部１ｔよりも一半側に天窓（開口）６が形成されている。この天窓６がシート１２によって開閉される。このシート１２は、下辺が天窓６の低位側の辺縁に固定され、該天窓６の高位側へ拡開することにより該天窓６を覆蓋しうる大きさを有している。
【００２８】
天窓開閉装置１０は、このシート１２と、該シート１２の上辺が結合されており、該天窓６（屋根１ｒの上面）に沿って該天窓６の高位側と低位側との間を転動しながら移動可能となっている巻芯１４と、一端が該巻芯１４に連結されており、他端側が前記天頂部１ｔを越えて屋根１ｒの他半側へ延出した延出体１６と、該延出体１６の最下位部に対し引下げ力を与える錘体１８と、該巻芯１４を天窓６の高位側から低位側並びに該低位側から高位側へ転動させる巻芯転動装置２０とを備えている。
【００２９】
この実施の形態のように、延出体１６は、ネット１６ａと、該ネット１６ａの上側辺に連なるシート部１６ｂとで構成されていることが好ましい。このシート１６ｂが巻芯に結合されている。なお、この結合構造の詳細については後述する。このように延出体１６の根元側にシート部１６ｂが存在していることにより、第１図（ａ）に示すように、天窓閉状態時において該シート部１６ｂが巻芯１４の高位側から屋根１ｒの天頂部１ｔを越えて該屋根１ｒの他半側の上部までを覆うようになり、該巻芯１４の高位側に雨水等が溜まることが防止される。
【００３０】
該シート１２は、この実施の形態では、プラスチックフィルムハウス１の外殻を構成する合成樹脂シート４と同様の材質よりなるものであるが、該合成樹脂シート４と異なっていてもよい。この実施の形態では、該シート１２の下辺は、天窓６の下縁付近の合成樹脂シート４に対しファスナー（固定具）を用いて、あるいは溶着や接着等により結合されているが、これに限定されるものではない。
【００３１】
巻芯１４は、天窓６に沿って該天窓６の高位側から低位側へ転動しながら移動することによりシート１２を巻取り、天窓６を開放させる。この際、延出体１６も該シート１２と一緒に巻芯１４に巻取られる。また、巻芯１４が天窓６に沿って該天窓６の低位側から高位側へ転動しながら移動することによりシート１２を巻出して天窓６に覆蓋させる。この際、延出体１６も巻芯１４から巻出される。なお、この巻芯１４は、円柱状（棒状）又は円筒状のものであり、屋根１ｒの棟方向と平行に略水平に延在している。
【００３２】
この巻芯１４の材質は特に限定されるものではないが、例えば塩ビ管等を用いることができる。また、この巻芯１４の直径は、シート１２及び延出体１６の巻取り及び巻出しをスムーズに行うことができる大きさであればよく、特に限定されるものではないが、５〜５０ｍｍ程度であることが好ましい。
【００３３】
この実施の形態では、延出体１６は、第１図及び第２図に示すように、該巻芯１４からの延出方向の途中部分において、該巻芯１４の延在方向と平行な折り返し部に沿って下側に折り返されている。この下側へ折り返された部分の上端辺は、屋根１ｒの天頂部１ｔ又は該天頂部１ｔから所定距離低位側へ離隔した位置にファスナー（固定具）を用いて、あるいは接着や溶着等により固定されている。
【００３４】
この延出体１６にあっては、図示の通り、該折り返し部が最も低位となっている。この延出体１６の折り返し部の内側に錘体１８が保持されている。この実施の形態では、第２図に示すように、該錘体１８は円柱状のものであり、該折り返し部に沿って巻芯１４と平行に延在している。この錘体１８は、天窓６の開閉に際し、延出体１６が巻芯１４に巻取られること及び巻芯１４から巻出されることに伴い、該折り返し部の内側において自転（転動）しつつ屋根１ｒの低位側から高位側並びに高位側から低位側へ移動する。
【００３５】
この実施の形態では、錘体１８の重量は、第１図（ｂ）の如く天窓６が全開状態となるまで巻芯１４がシート１２及び延出体１６を巻取った状態において、該巻芯１４と、該巻芯１４に巻取られたシート１２及び延出体１６との合計重量により巻芯１４に生じるシート巻取り方向（転がり落ちる方向）への回転トルクよりも、該錘体１８の重量により延出体１６を介して巻芯１４に生じる転がり上がる方向の回転トルクの方が大きくなるよう設定されている。
【００３６】
即ち、この実施の形態では、巻芯１４には、錘体１８から常時天窓６の高位側への引張り力が加えられている。
【００３７】
この錘体１８の材質や構造は特に限定されるものではない。例えば、この錘体１８は、金属製又は合成樹脂製の中実円柱状（棒状）体であってもよく、中空円筒状体に重量物を充填したものであってもよい。具体的には、塩ビ管に砂などを充填したものであってもよい。
【００３８】
天窓６の下辺に沿って好ましくはストッパ２２が上方に突設される。巻芯１４がシート１２を巻取りながら該天窓６の低位側へ移動したときに、該巻芯１４が該ストッパ２２に当接して停止する。また、天窓６の上辺に沿う天頂部１ｔ付近に、好ましくはストッパ２４が上方に突設される。巻芯１４がシート１２を巻出しながら該天窓６の高位側へ移動したときに、該巻芯１４が該ストッパ２４に当接して停止する。この実施の形態では、これらのストッパ２２，２４は、それぞれ、シート１２の下端辺を天窓６の下縁部に固定するファスナーと、延出体１６のうち前記下側に折り返された部分の上端辺を屋根１ｒの天頂部１ｔ付近に固定するファスナーとに一体に設けられているが、これらのファスナー２２，２４の構成はこれに限定されるものではない。
【００３９】
なお、後述の第７図の実施の形態の如く、屋根１ｒの天窓６と反対側に、巻芯１４に延出体１６が巻取られるのに伴って屋根１ｒの高位側へ移動した錘体１８の該高位側への移動を停止させるストッパが突設されていてもよい。
【００４０】
この実施の形態では、第４図に示すように、シート１２と延出体１６とが一続きとなっている。即ち、該シート１２は、天窓６に覆蓋する領域と、この領域が天窓６に覆蓋した状態において屋根１ｒの天頂部１ｔを越えて該屋根１ｒの前記他半側（天窓６が設けられた側と反対側）に延出して延出体１６の一部（シート部１６ｂ）を構成する領域とを有している。このシート部１６ｂにネット１６ａが連なっている。
【００４１】
この実施の形態では、第４図に示すように、シート１２のうち上記の２つの領域の境界付近を巻芯１４に被せ、その上から挟み固定部材１４ｃを装着することにより、該シート１２（及び延出体１６のシート部１６ｂ）を巻芯１４に固定している。この挟み固定部材１４ｃは、図示の如く断面Ｃ字形の弾性部材であり、弾性変形しつつ巻芯１４を咥え込むようにして該巻芯１４に外嵌し、該シート１２を巻芯１４に固定するよう構成されている。
【００４２】
なお、このシート１２の巻芯１４への固定構造はこれに限定されるものではなく、例えば、第５図に示すように、巻芯１４に側周面から軸心側に向って切込み状のスリット１４ａを設け、シート１２のうち上記の２つの領域の境界付近をこのスリット１４ａに挟み込むようにして巻芯１４に結合してもよい。
【００４３】
巻芯転動装置２０は、第６図に示すように、巻芯１４の端部に設けられたスプロケット２０ａと、該スプロケット２０ａに巻掛けられた無端チェーン２０ｂと、地面Ｇに設けられたチェーン掛止フック２０ｃとを備えている。この無端チェーン２０ｂを無端回動させることにより、スプロケット２０ａを介して巻芯１４が自転し、天窓６に沿って該天窓６の高位側から低位側あるいは低位側から高位側へ転動しながら移動するようになる。また、この無端チェーン２０ｂを地面Ｇのチェーン掛止フック２０ｃに掛止することにより、該巻芯１４の転動が阻止され、巻芯１４が固定される。
【００４４】
このように構成された天窓開閉装置１０の操作手順について次に説明する。
【００４５】
第１図（ａ）及び第３図（ａ）のように天窓６がシート１２で閉鎖された状態から天窓６を開放させる場合には、巻芯１４が第３図（ａ）の矢印Ｒ方向へ自転するように無端チェーン２０ｂを引張り、巻芯１４を天窓６の高位側から低位側へ転動させる。この天窓６の高位側から低位側への巻芯１４の転動により、第３図（ａ）から（ｃ）の如くシート１２が該巻芯１４に巻取られ、天窓６が開放される。この際、延出体１６も巻芯１４に巻取られることにより、図示の如く延出体１６のネット１６ａが天窓６の上方へ引き出されて該天窓６を覆うようになる。天窓６を全開又は所望量開放させた後、無端チェーン２０ｂを地面Ｇのフック２０ｃに引掛けて巻芯１４を固定する。
【００４６】
この天窓開放操作時においては、錘体１８から該巻芯１４に加えられるシート巻出し方向の回転トルクに抗して無端チェーン２０ｂを引張り、巻芯１４を転落方向へ転動させる。
【００４７】
第１図（ｂ）及び第３図（ｃ）のように開放状態となっている天窓６をシート１２で閉鎖するには、無端チェーン２０ｂをチェーン掛止フック２０ｃから外し、巻芯１４をシート巻出し方向へ（天窓６の低位側から高位側へ）転動させる。この巻芯１４の天窓６の高位側への転動によりシート１２が巻出され、天窓６がシート１２によって覆われるようになる。なお、巻芯１４には、延出体１６を介して錘体１８から天窓６の高位側への引張り力が加えられているため、巻芯１４から巻出されたシート１２は該巻芯１４により該高位側へ引張られ、たわみなく天窓６に沿って展張される。
【００４８】
この天窓閉鎖操作においては、操作者は、無端チェーン２０ｂを掴んで巻芯１４の転がり上がりスピード（シート巻出し速度）を調節する。
【００４９】
この天窓開閉装置１０にあっては、シート１２の下端辺を天窓６の低位側に固定し、該シート１２の上端辺側から巻芯１４により該シート１２を巻取るよう構成しているので、シート１２上を水滴等が流れ落ちる場合に、巻芯１４又は該巻芯１４によるシート巻取り体によってこの水滴が堰き止められることがなく、該シート１２上に水が溜まりにくい。
【００５０】
また、巻芯１４には、錘体１８の自重により天窓６の高位側への引き上げ力が作用しているため、この巻芯１４を介してシート１２の上端辺側が天窓６の高位側へ引張られ、シート１２がピンと張るようになる。これにより、シートにたるみが生じにくい。
【００５１】
この天窓開閉装置１０においては、天窓６を開放させると延出体１６が天窓６の上方に引き出されて該天窓６を覆うようになるが、この実施の形態では、該延出体１６は通気性を有するネット１６ａよりなるので、このネット１６ａを介してプラスチックフィルムハウス１の内外の空気が相互に流通する。また、このように天窓開放時に天窓６をネット１６ａで覆っておくことにより、該天窓６からプラスチックフィルムハウス１内に害虫やゴミ等が侵入することが防止される。
【００５２】
この実施の形態では、延出体１６を巻芯１４からの延出方向の途中部分において折り返し、この折り返し部の内側に円柱状の錘体１８を自転可能に保持している。そのため、この錘体１８は、天窓６の開閉に際し延出体１６が巻芯１４に巻取られること及び巻芯１４から巻出されることに伴い、該折り返し部の内側において自転（転動）しつつ屋根１ｒの低位側から高位側並びに高位側から低位側へスムーズに移動することができる。
【００５３】
なお、上記の実施の形態では、巻芯転動装置２０として、スプロケット２０ａと無端チェーン２０ｂとを組み合せたものを採用しているが、巻芯転動装置の構成はこれに限定されるものではなく、巻芯を回転させうる機能を有する任意の装置を採用することが可能である。
【００５４】
第７図は第１〜５図の途中で折り返した延出体１６の代わりに屋根１ｒに一重に重なる延出体１６Ａを有する天窓開閉装置１０Ａを備えたプラスチックフィルムハウスの断面図であり、（ａ）図は天窓閉状態時を示し、（ｂ）図は天窓開状態時を示している。
【００５５】
この天窓開閉装置１０Ａも、該シート１２と、該シート１２の上辺が結合されており、該天窓６に沿って該天窓６の高位側と低位側との間を転動しながら移動可能となっている巻芯１４と、一端が該巻芯１４に連結されており、他端側が前記天頂部１ｔを越えて屋根１ｒの他半側へ延出したネット１６ａよりなる延出体１６Ａと、該延出体１６Ａの最下位部に対し引下げ力を与える錘体１８Ａと、該巻芯１４を天窓の高位側から低位側並びに該低位側から高位側へ転動させる巻芯転動装置（図示略）とを備えている。
【００５６】
この実施の形態では、延出体１６Ａは、巻芯１４からの延出方向の途中部分において折り返されることなく、屋根１ｒの低位側へと引き回されており、この延出体１６Ａの下端に錘体１８Ａが結合されている。
【００５７】
この天窓開閉装置１０Ａにおいては、該錘体１８Ａは、天窓６の開閉に際し延出体１６Ａが巻芯１４に巻取られること及び巻芯１４から巻出されることに伴い、屋根１ｒの上面に沿って滑動しつつ、該屋根１ｒの低位側から高位側並びに高位側から低位側へ移動する。
【００５８】
なお、この実施の形態では、屋根１ｒの天窓６と反対側に、巻芯１４に延出体１６Ａが巻取られるのに伴って屋根１ｒの高位側へ移動した錘体１８Ａの該高位側への移動を停止させるストッパ２６が突設されている。
【００５９】
この天窓開閉装置１０Ａのその他の構成は前述の第１〜５図の天窓開閉装置１０と同様となっており、同一符号は同一部分を示している。
【００６０】
この天窓開閉装置１０Ａにあっても、シート１２上を水滴等が流れ落ちる場合に、巻芯１４又は該巻芯１４によるシート巻取り体によってこの水滴が堰き止められることがなく、該シート１２上に水が溜まりにくい。また、巻芯１４に作用する錘体１８Ａからの天窓６の高位側への引き上げ力により、シート１２がピンと張り、シート１２にたるみが生じにくい。
【００６１】
なお、図示はしないが、この実施の形態においては、錘体１８Ａにローラや車輪等を設けて該錘体１８Ａとプラスチックフィルムハウス１の屋根１ｒの上面との間の摩擦抵抗を低減させるよう構成してもよい。
【００６２】
上記の各実施の形態は本発明の一例を示すものであり、本発明は上記の各実施の形態に限定されるものではない。
【００６３】
例えば、上記の各実施の形態では延出体をネットにより構成しているが、延出体は孔開きシートであってもよく、紐状体であってもよい。延出体を紐状体とした場合には、延出体の構成をきわめて簡易なものとすることができる。
【図面の簡単な説明】
【００６４】
【図１】実施の形態に係るプラスチックフィルムハウスの天窓開閉装置を備えたプラスチックフィルムハウスの断面図であり、（ａ）図は天窓閉状態時を示し、（ｂ）図は天窓開状態時を示している。
【図２】図１のプラスチックフィルムハウスの天窓開閉装置の斜視図である。
【図３】図１のプラスチックフィルムハウスの天窓開閉装置の作動態様の説明図である。
【図４】図１のプラスチックフィルムハウスの天窓開閉装置における巻芯とシートとの結合部の断面斜視図である。
【図５】別の巻芯とシートとの結合構造を示す断面斜視図である。
【図６】図１のプラスチックフィルムハウスの天窓開閉装置における巻芯転動装置の斜視図である。
【図７】別の実施の形態に係るプラスチックフィルムハウスの天窓開閉装置を備えたプラスチックフィルムハウスの断面図であり、（ａ）図は天窓閉状態時を示し、（ｂ）図は天窓開状態時を示している。
【符号の説明】
【００６５】
１  プラスチックフィルムハウス
１ｒ  屋根
１ｔ  天頂部
２  フレーム
４  合成樹脂シート
１０，１０Ａ  天窓開閉装置
１２  シート
１４  巻芯
１６，１６Ａ  延出体
１６ａ  ネット
１８，１８Ａ  錘体
【図１】
2005318823.tif 000003
【図２】
2005318823.tif 000004
【図３】
2005318823.tif 000005
【図４】
2005318823.tif 000006
【図５】
2005318823.tif 000007
【図６】
2005318823.tif 000008
【図７】
2005318823.tif 000009